(57)【特許請求の範囲】
【請求項１】
遊技盤の前面側の遊技領域内に設けられた複数の入賞口と、
前記遊技領域内に設けられたゲートと、
前記各入賞口に対応して設けられ且つ前記入賞口への入賞球を検出する入賞口用近接スイッチと、
前記ゲートに対応して設けられ且つ前記ゲートの通過球を検出するゲート用近接スイッチとを備え、
前記入賞口用近接スイッチが入賞球を検出することに基づいて遊技者に所定の利益を還元するように構成された
弾球遊技機において、
近接スイッチの誤動作を引き起こす特定周波数の電波を検知可能な電波センサを備え、
全ての前記入賞口用近接スイッチを前記電波センサの電波検知領域の内側に配置し、
前記ゲート用近接スイッチを前記電波検知領域の外側に配置した
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、各入賞手段（入球手段）に、入賞口（入球口）に入賞（入球）した遊技球を検出する例えば貫通型の近接スイッチが設けられており、この近接スイッチが遊技球を検出することに基づいて、所定個数の賞球の払出等、遊技者に所定の利益を還元するように構成されている（例えば特許文献１）。この貫通型の近接スイッチは、正規の遊技球が１個通過可能な検出孔を備え、高周波発振回路を構成するリング状の検出コイルがその検出孔を取り囲むように内蔵されており、遊技球が検出孔を通過する際の検出コイルのインピーダンス変化により、非接触でその遊技球の通過を検出可能となっている。
【先行技術文献】
【特許文献】
【０００３】
【特許文献１】特開２００４−１８７８９５号公報
【発明の概要】
【発明が解決しようとする課題】
【０００４】
ところで最近、この種のパチンコ機等の弾球遊技機に対して、正規の遊技球よりも若干大きめの鉄球（以下、不正球という）を用いた「大玉ゴト」と呼ばれる不正行為が各地の遊技ホールで確認され、問題となっている。この大玉ゴトの手口は以下のようなものである。即ち、まず不正球を皿に投入して正規の遊技球と同様に発射すると共に、その不正球を磁石等を用いて所定の入賞口に強制的に入賞させ、その入賞口に設けられた近接スイッチの検出孔に停留させてその近接スイッチを常時検出状態にする。そして、その不正球を停留させた近接スイッチに対して遊技機外から特定周波数の強力な電波を照射し、断続的に非検出状態となるようにその近接スイッチを誤作動させることにより、遊技球が連続的に入賞した場合と同様の検出状態を作り出すというものである。
【０００５】
このような不正行為に対する対策としては、例えばその不正行為で使用される特定周波数の電波を検知可能な電波センサを遊技盤上等に配置して監視することが考えられる。しかしながら、遊技領域内の全ての入賞口が電波センサの電波検知領域内に入るようにするためには電波センサの数を増やしたり電波検知領域の広い電波センサを用いることが必要となる場合が多く、一般にコスト高となり、またノイズによる誤検出の可能性が高くなる等の問題があった。
【０００６】
本発明は上記事情に鑑みてなされたものであり、コストを抑え且つ誤検出の可能性を低く抑えることができる弾球遊技機を提供することを目的とする。
【課題を解決するための手段】
【０００７】
本発明は、遊技盤５の前面側の遊技領域５ａ内に設けられた複数の入賞口３２，４３，４６，５３，６２ａ〜６２ｄと、前記遊技領域５ａ内に設けられたゲート３７と、前記各入賞口３２，４３，４６，５３，６２ａ〜６２ｄに対応して設けられ且つ前記入賞口３２，４３，４６，５３，６２ａ〜６２ｄへの入賞球を検出する入賞口用近接スイッチ３４，４５，５０，５８，６４ａ〜６４ｅと、前記ゲート３７に対応して設けられ且つ前記ゲート３７の通過球を検出するゲート用近接スイッチ３８とを備え、前記入賞口用近接スイッチ３４，４５，５０，５８，６４ａ〜６４ｅが入賞球を検出することに基づいて遊技者に所定の利益を還元するように構成された弾球遊技機において、近接スイッチ３４，４５，５０，５８，６４ａ〜６４ｅ，３８の誤動作を引き起こす特定周波数の電波を検知可能な電波センサ５２を備え、全ての前記入賞口用近接スイッチ３４，４５，５０，５８，６４ａ〜６４ｅを前記電波センサ５２の電波検知領域の内側に配置し、前記ゲート用近接スイッチ３８を前記電波検知領域の外側に配置したものである。
【発明の効果】
【００１０】
本発明によれば、電波検知領域の狭い電波センサを最小限の数だけ配置することによりコストを抑え且つ誤検出の可能性を低く抑えることができる。
【図面の簡単な説明】
【００１１】
【図１】本発明の第１の実施形態に係るパチンコ機の全体斜視図である。
【図２】同パチンコ機の遊技盤の正面図である。
【図３】同パチンコ機の右普通入賞手段及びその近傍の側面断面図である。
【図４】同パチンコ機の上下の始動入賞手段、大入賞手段及びその近傍の側面断面図である。
【図５】同パチンコ機の大入賞手段及びその近傍の平面断面図である。
【図６】同パチンコ機の第１普通入賞手段及びその近傍の側面断面図である。
【図７】同パチンコ機の第１〜第４普通入賞手段及びその近傍の背面断面図である。
【図８】同パチンコ機の制御系のブロック図である。
【図９】本発明の第２の実施形態に係るパチンコ機の第１〜第４普通入賞手段及びその近傍の背面断面図である。
【図１０】本発明の変更例に係るパチンコ機の第１〜第４普通入賞手段及びその近傍の背面断面図である。
【図１１】本発明の変更例に係るパチンコ機の第１〜第４普通入賞手段及びその近傍の背面断面図である。
【発明を実施するための形態】
【００１２】
以下、本発明の実施形態を図面に基づいて詳述する。図１〜図８は本発明をパチンコ機に採用した第１の実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１３】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１４】
遊技盤５の前面側には、図２に示すように、発射手段により発射された遊技球を案内するガイドレール１２が略環状に配置されており、そのガイドレール１２内の遊技領域５ａには、表示ユニット１３、ゲートユニット１４、始動入賞口ユニット１５、大入賞口ユニット１６、普通入賞口ユニット１７等の遊技部品が着脱自在に装着されている。
【００１５】
ガイドレール１２は、例えば金属板により形成され、遊技盤５の前面側に立設されている。このガイドレール１２は、外レール１２ａとその内側の内レール１２ｂとが一部内外に重複するように配置されており、それら外レール１２ａと内レール１２ｂとの間に、発射手段により発射された遊技球を遊技領域５ａに案内する発射案内通路１８が形成されている。
【００１６】
表示ユニット１３は、遊技領域５ａの略中央に配置され、例えば遊技盤５の裏側に装着される液晶表示手段２１と、液晶表示手段２１用の表示窓２２を備え且つ遊技盤５に設けられた表示ユニット装着孔に前側から着脱自在に装着され、ねじ止め等により遊技盤５に固定される表示枠体２３とを備えている。液晶表示手段２１は例えば演出図柄表示手段２４等を構成している。また、表示枠体２３上には、普通図柄表示手段２５、特別図柄表示手段２６、普通保留個数表示手段２７、特別保留個数表示手段２８等の各種表示手段の他、ステージ２９、右普通入賞手段３０等が設けられている。
【００１７】
ステージ２９は、例えば表示窓２２の下側に横長状に配置されており、表示枠体２３の左右一側、例えば左側に設けられたステージ入口３１に入球した遊技球を左右方向に遊ばせて中央又はその左右の落下部から落下させるようになっている。
【００１８】
右普通入賞手段３０は、例えば表示枠体２３の右側下端部に配置されており、図２，図３に示すように、遊技領域５ａ内で上向きに開口する右普通入賞口（入球口）３２と、この右普通入賞口３２に入賞した遊技球を遊技盤５の後側まで案内する略前後方向の後方案内通路３３と、右普通入賞口３２に入賞した遊技球を検出する近接スイッチ３４とを備えている。
【００１９】
近接スイッチ３４は、例えばその一端側に正規の遊技球（直径１１ｍｍ）が通過可能な直径（例えば１２ｍｍ程度）に形成された略円形の検出孔３５を有し、高周波発振回路を構成するリング状の検出コイルがその検出孔３５を取り囲むように内蔵されており、遊技球が検出孔３５を通過する際の検出コイルのインピーダンス変化によって遊技球の通過を検出可能となっている。なお、後述する他の近接スイッチも全てこの近接スイッチ３４と同様の構成を有するものとする。
【００２０】
右普通入賞手段３０では、検出孔３５が右普通入賞口３２の下側に位置するように、近接スイッチ３４を後方案内通路３３の上流端側に配置している。そして、近接スイッチ３４からの検出信号に基づいて遊技球が右普通入賞口３２に入賞したものと判定されることを条件に、１個の入賞につき所定個数の賞球が払い出される（所定の利益の還元）ようになっている。
【００２１】
ゲートユニット１４は、普通図柄始動手段３６を構成するもので、例えば表示ユニット１３の左側で、遊技盤５に設けられたゲートユニット装着孔に対して例えば前側から着脱自在に装着され、ねじ止め等により遊技盤５に固定されている。普通図柄始動手段３６は、遊技領域５ａ内で上下方向に配置された普通図柄始動ゲート３７と、この普通図柄始動ゲート３７を通過する遊技球を検出する近接スイッチ３８とで構成されている。この普通図柄始動ゲート３７は、普通図柄表示手段２５による図柄変動を開始させるためのもので、近接スイッチ３８からの検出信号に基づいて遊技球がこの普通図柄始動ゲート３７を通過したものと判定されることを条件に、普通図柄表示手段２５による普通図柄の変動表示が開始されるようになっている。
【００２２】
普通図柄表示手段２５は、例えば「○」「×」の２種類の普通図柄に対応する２個の発光体（例えばＬＥＤ）により構成されており、遊技球が普通図柄始動ゲート３７を通過することを条件にそれら２つの発光体が所定時間交互に点滅して、普通図柄始動ゲート３７の近接スイッチ３８による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２３】
また、普通図柄表示手段２５の変動表示中、又は後述する普通利益状態中に遊技球が普通図柄始動ゲート３７を通過した場合には、その通過時に取得された当たり判定乱数値が予め定められた上限保留個数、例えば４個を限度として記憶されると共に、例えば上限保留個数と同数の発光体よりなる普通保留個数表示手段２７がその発光個数により当たり判定乱数値の記憶個数（以下、普通保留個数）を表示して、その時点での普通保留個数を遊技者に報知するようになっている。
【００２４】
始動入賞口ユニット１５は、例えば表示ユニット１３の下側で、遊技盤５に設けられた始動入賞口ユニット装着孔に対して前側から着脱自在に装着され、ねじ止め等により遊技盤５に固定されており、図２，図４に示すように、上部始動入賞手段４１と下部始動入賞手段４２とを上下に備えている。
【００２５】
上部始動入賞手段４１は、開閉手段等を有しない非作動式の入賞手段で、遊技領域５ａ内で上向きに開口する上部始動入賞口（入球口）４３と、この上部始動入賞口４３に入賞した遊技球を遊技盤５の後側まで案内する略前後方向の後方案内通路４４と、上部始動入賞口４３に入賞した遊技球を検出する近接スイッチ４５とを備えている。近接スイッチ４５は、例えば後方案内通路４４の下流端側に配置されており、上部始動入賞口４３に入賞した遊技球を遊技盤５の後側で検出するようになっている。
【００２６】
また、下部始動入賞手段４２は、開閉可能な作動式の入賞手段で、上部始動入賞口４３の下側でその左右両側に向けて開口する一対の下部始動入賞口（入球口）４６と、この下部始動入賞口４６を例えば遊技球の入賞が不可能な閉状態と入賞容易な開状態とに切り替え可能な左右一対の開閉翼４７と、この開閉翼４７を駆動する電磁ソレノイド等よりなる開閉駆動手段４８と、下部始動入賞口４６に入賞した遊技球を遊技盤５の後側まで案内する略前後方向の後方案内通路４９と、下部始動入賞口４６に入賞した遊技球を検出する近接スイッチ５０とを備えており、普通図柄表示手段２５の変動後の停止図柄が当たり態様となって普通利益状態が発生したときに、開閉駆動手段４８の駆動により開閉翼４７が所定時間開状態に変化するようになっている。近接スイッチ５０は、例えば後方案内通路４９の下流端側に配置されており、下部始動入賞口４６に入賞した遊技球を遊技盤５の後側で検出するようになっている。
【００２７】
これら上部始動入賞手段４１及び下部始動入賞手段４２は、いずれも特別図柄表示手段２６による図柄変動を開始させるためのもので、近接スイッチ４５，５０からの検出信号に基づいて遊技球が上下の始動入賞口４３，４６の何れかに入賞したものと判定されることを条件に特別図柄表示手段２６による特別図柄の変動表示が開始され、また１個の入賞につき所定個数の賞球が払い出される（所定の利益の還元）ようになっている。
【００２８】
特別図柄表示手段２６は、１個又は複数個、例えば１個の特別図柄を変動表示可能な７セグメント式等の表示手段により構成されており、遊技球が上部始動入賞口４３と下部始動入賞口４６との何れかに入賞することを条件に特別図柄を所定時間変動表示して、上部始動入賞口４３又は下部始動入賞口４６への入賞時に取得された大当たり判定乱数値が予め定められた大当たり判定値と一致する場合には所定の大当たり態様で、それ以外の場合には外れ態様で停止するようになっている。
【００２９】
特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。また、特別図柄の変動表示中、又は後述する特別利益状態中に上部始動入賞口４３又は下部始動入賞口４６に遊技球が入賞した場合には、その入賞時に取得された大当たり判定乱数値等が所定の上限保留個数、例えば４個を限度として記憶されると共に、例えば上限保留個数と同数の発光体よりなる特別保留個数表示手段２８がその発光個数により大当たり判定乱数値の記憶個数（以下、特別保留個数）を表示して、その時点での特別保留個数を遊技者に報知するようになっている。
【００３０】
特別図柄表示手段２６による特別図柄の変動表示中は、例えば演出図柄表示手段２４により演出図柄による図柄変動演出が行われる。演出図柄表示手段２４は、１個又は複数個、例えば左右方向に３個の演出図柄を例えば各種の演出画像と共に変動表示可能に構成されており、特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。なお、演出図柄表示手段２４は、特別図柄の変動内容とは直接関係のない演出を行う場合があってもよい。
【００３１】
大入賞口ユニット１６は、例えば始動入賞口ユニット１５の下側で、遊技盤５に設けられた大入賞口ユニット装着孔に対して前側から着脱自在に装着され、ねじ止め等により遊技盤５に固定されており、図２，図４，図５に示すように、大入賞手段５１と、電波センサ５２とを備えている。
【００３２】
大入賞手段５１は、開閉可能な作動式の入賞手段で、例えば遊技盤５の前面側の位置で前向き開口状に形成された大入賞口（入球口）５３と、この大入賞口５３を遊技球の入賞が不可能な閉状態と入賞容易な開状態とに切り替え可能な開閉板５４と、この開閉板５４を駆動する電磁ソレノイド等よりなる開閉駆動手段５５と、大入賞口５３に入賞した遊技球を受け入れて遊技盤５の後側の入賞球排出口５６から下側に落下させる入賞室５７と、大入賞口５３に入賞した遊技球を検出する近接スイッチ５８とを備えており、特別図柄表示手段２６の変動後の停止図柄が大当たり態様となって特別利益状態が発生したときに、開閉駆動手段５５の駆動により開閉板５４が所定のパターンに従って開状態に変化するようになっている。近接スイッチ５８は、例えば入賞室５７の下流端側、即ち入賞球排出口５６に配置されており、大入賞口５３に入賞した遊技球を遊技盤５の後側で検出するようになっている。
【００３３】
なお、開閉板５４はその下端側に設けられた左右方向の回転軸廻りに揺動可能であり、閉状態（図４に実線で示す）では遊技盤５の前面側に沿った姿勢で大入賞口５３を閉鎖し、開状態（図４に二点鎖線で示す）では大入賞口５３の前側で前斜め上向きとなって遊技領域５ａの上側から落下してきた遊技球を大入賞口５３内に案内するようになっている。そして、近接スイッチ５８からの検出信号に基づいて大入賞口５３に遊技球が入賞したものと判定されることを条件に、１個の入賞につき所定個数の賞球が払い出される（所定の利益の還元）ようになっている。
【００３４】
電波センサ５２は、各入賞口に配置された近接スイッチの誤動作を引き起こす特定周波数の電波を検知するもので、例えばその表裏両面側が電波検知面５２ａ，５２ｂとなっており、これら電波検知面５２ａ，５２ｂに夫々接する所定半径の略球状の領域が電波検知領域５９ａ，５９ｂとなっている。
【００３５】
図２，図５に示すように、本実施形態の電波センサ５２は、電波検知面５２ａ，５２ｂを左右に向けた状態で大入賞口ユニット１６の左後部に装着されており、右普通入賞口３２、上部始動入賞口４３、下部始動入賞口４６、大入賞口５３の４つの入賞口は全て右側の電波検知領域５９ｂ内に入っており、それらの入賞口３２，４３，４６，５３に対応する近接スイッチ３４，４５，５０，５８も全て電波検知領域５９ｂ内に存在するものとする。従って、これら右普通入賞口３２、上部始動入賞口４３、下部始動入賞口４６、大入賞口５３の何れかがいわゆる大玉ゴトの標的とされ、それら各入賞口３２，４３，４６，５３に対応する近接スイッチ３４，４５，５０，５８に対して強力な電波が照射された場合には、電波センサ５２によりその電波を検知できる。
【００３６】
普通入賞口ユニット１７は、例えば大入賞口ユニット１６の左側で内レール１２ｂの内側に沿って配置されており、その長手方向に沿って複数、例えば４つの第１〜第４普通入賞手段６１ａ〜６１ｄが上部側から下部側にかけて一列状に配置されている。この普通入賞口ユニット１７は、遊技盤５に設けられた普通入賞口ユニット装着孔に対して前側から着脱自在に装着され、ねじ止め等により遊技盤５に固定されている。
【００３７】
第１〜第４普通入賞手段６１ａ〜６１ｄは、図２，図６，図７に示すように、遊技領域５ａ内で上向きに開口する第１〜第４普通入賞口（入球口）６２ａ〜６２ｄと、この第１〜第４普通入賞口６２ａ〜６２ｄに入賞した遊技球を遊技盤５の後側まで案内する略前後方向の後方案内通路６３ａ〜６３ｄと、第１〜第４普通入賞口６２ａ〜６２ｄに入賞した遊技球を検出する近接スイッチ６４ａ〜６４ｅとを備えている。また、普通入賞口ユニット１７の後部側には、後方案内通路６３ａ〜６３ｄによって遊技盤５の後側まで案内された遊技球を遊技盤５の裏面に沿って下流側に案内する背面案内通路６５が設けられている。
【００３８】
背面案内通路６５は、図７に示すように、内レール１２ｂに沿って例えば略円弧状に配置され且つ遊技球を上流側（上部側）から下流側（下部側）に案内する一本の本線通路６６と、後方案内通路６３ａ〜６３ｄの下流端側から例えば下向きに配置され且つ第１〜第４普通入賞口６２ａ〜６２ｄに入賞した遊技球を本線通路６６に流入させる第１〜第４支線通路６７ａ〜６７ｄとを備えている。
【００３９】
本線通路６６には、その下流側端部に流出口６８が、上流側端部に最上流側の第１支線通路６７ａが接続される第１流入口６９ａが夫々設けられ、更にそれら第１流入口６９ａと流出口６８との間に、上流側から二つ目以降の第２〜第４支線通路６７ｂ〜６７ｄが接続される第２〜第４流入口６９ｂ〜６９ｄが形成されており、第１〜第４普通入賞口６２ａ〜６２ｄに入賞した遊技球は、夫々後方案内通路６３ａ〜６３ｄによって遊技盤５の後側まで案内された後、第１〜第４普通入賞口６２ａ〜６２ｄを経て本線通路６６に流入し、流出口６８から排出されるようになっている。
【００４０】
また、第１〜第４普通入賞口６２ａ〜６２ｄに対しては、夫々上流側の一次検出スイッチと下流側の二次近接スイッチとの２つの近接スイッチが設けられている。近接スイッチ６４ａ〜６４ｄは、第１〜第４普通入賞口６２ａ〜６２ｄに個別に対応する一次近接スイッチで、例えば後方案内通路６３ａ〜６３ｄから第１〜第４支線通路６７ａ〜６７ｄへの流入部に配置されている。近接スイッチ６４ｅは、第１〜第４普通入賞口６２ａ〜６２ｄに共通の二次近接スイッチで、例えば本線通路６６の下流端側の流出口６８の近傍に配置されている。
【００４１】
これにより、第１〜第４普通入賞口６２ａ〜６２ｄに入賞した遊技球は、その入賞口６２ａ〜６２ｄに対応する一次近接スイッチ６４ａ〜６４ｄによって検出された後、更に共通の二次近接スイッチ６４ｅによって検出される。一次近接スイッチ６４ａ〜６４ｄ及び二次近接スイッチ６４ｅからの検出信号に基づいて、第１〜第４普通入賞口６２ａ〜６２ｄに遊技球が入賞したものと判定された場合には、１個の入賞につき所定個数の賞球が払い出される（所定の利益の還元）。
【００４２】
また、図２，図７に示すように、第１〜第４普通入賞口６２ａ〜６２ｄのうち、最上流側の第１普通入賞口６２ａを除く第２〜第４普通入賞口６２ｂ〜６２ｄについては電波センサ５２の左側の電波検知領域５９ａ内に入っており、それら第２〜第４普通入賞口６２ｂ〜６２ｄに対応する一次近接スイッチ６４ｂ〜６４ｄについても全て電波検知領域５９ａ内に存在しているが、最上流側の第１普通入賞口（検知領域外入球口）６２ａについては、電波センサ５２の電波検知領域５９ａ，５９ｂの外側に配置されており、対応する一次近接スイッチ６４ａについても電波検知領域５９ａ，５９ｂの外側に存在している。
【００４３】
一方、背面案内通路（検知領域誘導通路）６５は、第１普通入賞口６２ａに入賞した遊技球を電波センサ５２の電波検知領域５９ａの内側に向けて誘導するように配置されており、その背面案内通路６５上に配置されている二次近接スイッチ６４ｅは電波検知領域５９ａ内に存在している。即ち、第１〜第４普通入賞口６２ａ〜６２ｄのうち、電波センサ５２の電波検知領域５９ａ内に配置されている第２〜第４普通入賞口６２ｂ〜６２ｄについては、対応する一次近接スイッチ６４ｂ〜６４ｄと二次近接スイッチ６４ｅとの何れも電波検知領域５９ａ内に配置されているが、電波センサ５２の電波検知領域５９ａ，５９ｂの外側に配置されている第１普通入賞口６２ａについては、対応する一次近接スイッチ６４ａと二次近接スイッチ６４ｅとのうち、二次近接スイッチ６４ｅのみが電波検知領域５９ａ内に配置されている。
【００４４】
続いて、本パチンコ機の制御系のうち、大玉ゴト等による不正入賞を監視するための構成について説明する。本実施形態の主制御基板７１には、図８に示すように、各入賞手段３０，４１，４２，５１，６１ａ〜６１ｄへの遊技球の入賞に関する処理を行う入賞処理手段７２と、普通図柄表示手段２５、特別図柄表示手段２６の図柄変動に関する処理を行う図柄処理手段７３と、下部始動入賞手段４２の開閉翼４７、大入賞手段５１の開閉板５４等の動作に関する処理を行う役物処理手段７４とが設けられている。
【００４５】
入賞処理手段７２は、各入賞手段３０，４１，４２，５１，６１ａ〜６１ｄに対応する近接スイッチ３４，４５，５０，５８，６４ａ〜６４ｅからの検出信号に基づいて、それら入賞手段３０，４１，４２，５１，６１ａ〜６１ｄの入賞口３２，４３，４６，５３，６２ａ〜６２ｄへの遊技球の入賞の有無を判定し、入賞があったと判定された場合には賞球の払い出し等の入賞処理が実行されるようになっている。
【００４６】
例えば、右普通入賞手段３０、上部始動入賞手段４１、下部始動入賞手段４２及び大入賞手段５１に関しては、例えばそれらの近接スイッチ３４，４５，５０，５８がＯＦＦ
（非検出状態）からＯＮ（検出状態）に変化することに基づいて遊技球の入賞があったものと判定され、また第１〜第４普通入賞手段６１ａ〜６１ｄに関しては、例えば一次近接スイッチ６４ａ〜６４ｄがＯＮになった後、所定時間以内に二次近接スイッチ６４ｅがＯＮになることに基づいて遊技球の入賞があったものと判定するようになっている。
【００４７】
また、例えばこの入賞処理手段７２には、電波センサ５２による検知信号に基づいて入賞手段３０，４１，４２，５１，６１ａ〜６１ｄに関する異常を監視する異常監視手段７５が設けられている。この異常監視手段７５は、近接スイッチの誤動作を引き起こす特定周波数の電波が電波センサ５２によって検知された場合には、所定のエラー処理、例えば液晶表示手段２１へのエラー表示、エラー警告音の出力、外部出力端子からのエラー信号出力等によるエラー報知、払い出し処理の停止等の処理が実行されるようになっている。
【００４８】
このような構成により、例えばいわゆる大玉ゴトが実行された場合、その標的が第１普通入賞口６２ａ以外の入賞口３２，４３，４６，５３，６２ｂ〜６２ｄの何れかであった場合には、それらに対応する近接スイッチ３４，４５，５０，５８，６４ｂ〜６４ｄの何れかにその検出孔３５よりも大径の不正球が停留させられ、それらの近接スイッチ３４，４５，５０，５８，６４ｂ〜６４ｄに対して強力な電波が照射されるが、それらの近接スイッチ３４，４５，５０，５８，６４ｂ〜６４ｄは全て電波センサ５２の電波検知領域５９ａ，５９ｂ内にあるため、照射された電波は電波センサ５２によって検知され、エラー処理が実行されるため、大玉ゴトによる被害を未然に防止できる。
【００４９】
一方、電波センサ５２の電波検知領域５９ａ，５９ｂの外側にある第１普通入賞口６２ａが大玉ゴトの標的とされた場合であっても、その第１普通入賞口６２ａの二次近接スイッチ６４ｅは電波センサ５２の電波検知領域５９ａ内にあり、しかも一次近接スイッチ６４ａによる検出後に二次近接スイッチ６４ｅによる検出がなければ入賞があったものとは判定されないため、電波センサ５２による電波検知を免れつつ第１普通入賞口６２ａへの入賞があったものと誤判定させることはできず、大玉ゴトによる被害を未然に防止できる。
【００５０】
このように、入賞口６２ａが電波センサ５２の電波検知領域５９ａ，５９ｂの外にある場合でも、その入賞口６２ａに対応する１又は複数の近接スイッチ６４ａ，６４ｅの少なくとも１つを電波センサ５２の電波検知領域５９ａ，５９ｂ内に配置することにより、大玉ゴトによる被害を免れることができるため、電波検知領域の狭い電波センサ５２を最小限の個数だけ配置することにより、コストを抑え且つ誤検出の可能性を低く抑えることができるにも拘わらず盤面配置の自由度を高く維持できる利点がある。
【００５１】
図９は本発明の第２の実施形態を例示し、検知領域外入球口である第１普通入賞口６２ａに対応する近接スイッチを１個のみとし、その近接スイッチ６４ａを背面案内通路（検知領域誘導通路）６５上で且つ電波センサ５２の電波検知領域５９ａ内の位置に配置した例を示している。
【００５２】
図９に示すように、本実施形態では第１〜第４普通入賞口６２ａ〜６２ｄに対して夫々１個の近接スイッチ６４ａ〜６４ｄのみが設けられている。また、検知領域外入球口である第１普通入賞口６２ａに対応する近接スイッチ６４ａは、背面案内通路（検知領域誘導通路）６５上で且つ電波センサ５２の電波検知領域５９ａ内の位置、即ち例えば本線通路６６上における第２流入口６９ｂの上流側近傍に配置されている。
【００５３】
このように、検知領域外入球口である第１普通入賞口６２ａに対応する近接スイッチが１個の場合には、その近接スイッチ６４ａを背面案内通路（検知領域誘導通路）６５上に配置することにより電波センサ５２の電波検知領域５９ａ内に設ければ、第１普通入賞口６２ａが大玉ゴトの標的とされた場合であっても、電波センサ５２による電波検知を免れつつ第１普通入賞口６２ａへの入賞があったものと誤判定させることはできず、大玉ゴトによる被害を未然に防止できる。
【００５４】
以上、本発明の実施形態について詳述したが、本発明はこれらの実施形態に限定されるものではなく、本発明の趣旨を逸脱しない範囲で種々の変更が可能である。例えば、第１の実施形態では、検知領域外入球口である第１普通入賞口６２ａに対応する近接スイッチを２つ設け、それらのうちの下流側の近接スイッチ６４ｅのみを電波センサ５２の電波検知領域５９ａ内に配置したが、図１０に示すように検知領域外入球口に対応する２つの近接スイッチ６４ａ，６４ｅの両方を電波センサ５２の電波検知領域５９ａ内に配置してもよい。即ち、検知領域外入球口に対して設けられた１又は複数の近接スイッチのうちの少なくとも１つを、電波センサの電波検知領域内に配置すればよい。
【００５５】
また、第１の実施形態では、検知領域外入球口である第１普通入賞口６２ａに対応する二次近接スイッチ６４ｅを、他の第２〜第４普通入賞口６２ｂ〜６２ｄの二次近接スイッチとしても使用した例を示したが、図１１に示すように、検知領域外入球口である第１普通入賞口６２ａのみに対応するように二次近接スイッチ６４ｅを配置してもよい。
【００５６】
検知領域外入球口は複数存在してもよい。また、電波センサ５２は２個以上配置してもよいが、最小限の数に抑え、また電波検知領域は必要最小限とすることが望ましい。また、電波センサ５２は、例えば一面側にのみ電波検知面を有するものなど、どのような仕様であってもよい。
【００５７】
実施形態では、電波センサ５２を遊技盤５上の大入賞口ユニット１６上に配置した例を示したが、遊技盤５上の他のユニット上に配置してもよいし、遊技盤５に対して他のユニットを介すことなく直接的に装着してもよい。また、遊技盤５以外の位置、例えばガラス扉６の裏側、内枠４の裏側等に電波センサ５２を配置してもよい。
【００５８】
入賞処理手段７２は、電波センサ５２による異常監視と並行して、近接スイッチからの検出信号に基づく異常監視を行ってもよい。例えば、特定の入賞口に対して所定個数以上連続して入賞した場合に異常であると判定する連続入賞監視処理を実行し、また対応する近接スイッチが複数設けられた入賞口（例えば第１の実施形態における第１〜第４普通入賞口６２ａ〜６２ｄ）に対しては、上流側の一次近接スイッチによる検出から下流側の二次近接スイッチによる検出までの経過時間が所定の上限時間を超えている場合には異常であると判定する検出時間間隔監視処理を実行するようにしてもよい。
【００５９】
なお、実施形態ではパチンコ遊技機について例示したが、アレンジボール機、雀球遊技機等の他の弾球遊技機においても同様に実施可能であることはいうまでもない。
【符号の説明】
【００６０】
５    遊技盤
５ａ  遊技領域
３２    右普通入賞口（入球口）
３４    近接スイッチ
４３    上部始動入賞口（入球口）
４５    近接スイッチ
４６    下部始動入賞口（入球口）
５０    近接スイッチ
５２    電波センサ
５３    大入賞口（入球口）
５８    近接スイッチ
５９ａ  電波検知領域
５９ｂ  電波検知領域
６２ａ  第１普通入賞口（検知領域外入球口）
６２ｂ  第２普通入賞口（入球口）
６２ｃ  第３普通入賞口（入球口）
６２ｄ  第４普通入賞口（入球口）
６４ａ  一次近接スイッチ（近接スイッチ）
６４ｂ  一次近接スイッチ（近接スイッチ）
６４ｃ  一次近接スイッチ（近接スイッチ）
６４ｄ  一次近接スイッチ（近接スイッチ）
６４ｅ  二次近接スイッチ（近接スイッチ）
６５    背面案内通路（検知領域誘導通路）
【図１】
0005546666.tif 000002
【図２】
0005546666.tif 000003
【図３】
0005546666.tif 000004
【図４】
0005546666.tif 000005
【図５】
0005546666.tif 000006
【図６】
0005546666.tif 000007
【図７】
0005546666.tif 000008
【図８】
0005546666.tif 000009
【図９】
0005546666.tif 000010
【図１０】
0005546666.tif 000011
【図１１】
0005546666.tif 000012